(57)【要約】【課題】無線タグ作成後に実行すべき通信信頼性の確認作業における操作者の労力を大きく低減することができる無線タグ管理システムを提供する。【解決手段】無線タグ作成装置５００は、作成した複数の無線タグＴにそれぞれ書き込んだ複数のタグＩＤを操作端末１００へ送信し、操作端末１００は、受信した複数のタグＩＤを記憶部１０６に記憶すると共に、それら複数のタグＩＤを一括して無線タグ通信装置２００へ送信し、無線タグ通信装置２００は受信した複数のタグＩＤを探索対象として記憶部２０７に記憶すると共に、当該複数のタグＩＤを順次指定しながら、通信装置側アンテナ２０３を介し指定された無線タグＴの無線回路素子Ｔｏから情報を取得して、通信信頼性の確認を行う。【選択図】図２
2010086147.tif 000002
【特許請求の範囲】
【請求項１】
情報を記憶するＩＣ回路部と情報を送受信するタグアンテナとを備えた無線タグ回路素子を備えた無線タグを作成する無線タグ作成装置と、
前記無線タグ作成装置を操作するための操作端末と、
前記無線タグ作成装置で作成された無線タグに対して情報読み取りを行うための無線タグ通信装置と
を有する無線タグ管理システムであって、
前記無線タグ作成装置は、
タグ媒体を搬送するための搬送手段と、
前記タグ媒体に備えられた前記無線タグ回路素子と無線通信するための作成装置側アンテナと、
前記無線タグの設置対象の対象物情報に対応して前記無線タグ回路素子に付与されるタグ識別情報を、前記作成装置側アンテナを介し前記ＩＣ回路部へ書き込み、前記無線タグを作成する作成装置側書き込み手段と、
前記作成装置側書き込み手段で書き込んだ前記タグ識別情報を、前記操作端末へ出力する作成装置側情報出力手段と
を有し、
前記操作端末は、
前記無線タグ作成装置の前記作成装置側情報出力手段から送信された前記タグ識別情報を記憶する端末側記憶手段と、
前記無線タグ作成装置が少なくとも１つの前記無線タグを作成した後、前記端末側記憶手段に記憶された、前記少なくとも１つの無線タグにそれぞれ対応した少なくとも１つの前記タグ識別情報を、一括して前記無線タグ通信装置へ出力する端末側情報出力手段と
を有し、
前記無線タグ通信装置は、
前記無線タグ回路素子に対し、無線通信を行うための通信装置側アンテナと、
前記操作端末の前記端末側情報出力手段から出力された前記少なくとも１つのタグ識別情報を、探索対象として記憶する通信装置側記憶手段と、
前記通信装置側記憶手段に記憶された前記少なくとも１つのタグ識別情報を順次指定しながら、前記通信装置側アンテナを介し、前記指定された前記無線タグ回路素子の前記ＩＣ回路部から情報を取得する情報取得手段と
を有する
ことを特徴とする無線タグ管理システム。
【請求項２】
前記無線タグ通信装置は、
前記通信装置側記憶手段に記憶された複数の前記タグ識別情報を順次指定しながら、前記情報取得手段で前記情報の取得を行う複数タグ検出モードと、前記通信装置側記憶手段に記憶された１つの前記タグ識別情報を指定し、前記情報取得手段で前記情報の取得を行う単一タグ検出モードとを切り替え可能な、モード切替手段を有しており、
前記操作端末は、
前記端末側情報出力手段が前記複数のタグ識別情報を出力するのに対応して、前記複数タグ検出モードへの切り替えを指示する切替指示信号を出力する切替指示出力手段を有しており、
前記モード切替手段は、
前記操作端末の前記切替指示出力手段からの前記切替指示信号に応じて、前記複数タグ検出モードへの切り替えを行う
ことを特徴とする請求項１記載の無線タグ管理システム。
【請求項３】
前記無線タグ通信装置は、
前記タグ識別情報を指定しての前記情報取得手段による情報の取得ができなかった前記無線タグ回路素子が存在した場合、対応する新規な前記無線タグの発行を要求するための再発行要求信号を前記操作端末に出力する第１再発行要求出力手段を有し、
前記操作端末は、
前記無線タグ通信装置の前記第１再発行要求出力手段からの前記再発行要求信号に応じて、前記無線タグ作成装置に再発行指示信号を出力する第１再発行指示出力手段を有し、
前記無線タグ作成装置は、
前記操作端末の前記第１再発行指示出力手段からの前記再発行指示信号に応じて、新たな前記タグ識別情報を用いて新たな無線タグを作成するとともに当該タグ識別情報を前記操作端末へ出力するように、前記搬送手段、前記作成装置側書き込み手段、及び前記作成装置側情報出力手段を制御する、第１再発行制御手段を有する
ことを特徴とする請求項２記載の無線タグ管理システム。
【請求項４】
前記操作端末の前記端末側記憶手段は、
前記無線タグ作成装置の前記作成装置側情報出力手段から送信された前記新たなタグ識別情報を記憶し、
前記端末側情報出力手段は、
前記端末側記憶手段に記憶された、前記新たなタグ識別情報を、一括して前記無線タグ通信装置へ出力し、
前記切替指示出力手段は、
前記端末側情報出力手段が前記新たなタグ識別情報を出力するのに対応して、前記単一タグ検出モード若しくは複数タグ検出モードへの切り替えを指示する前記切替指示信号を出力し、
前記無線タグ通信装置の前記モード切替手段は、
前記操作端末の前記切替指示出力手段からの前記切替指示信号に応じて、前記単一タグ検出モード若しくは複数タグ検出モードへの切り替えを行う
ことを特徴とする請求項３記載の無線タグ管理システム。
【請求項５】
前記無線タグ通信装置は、
前記タグ識別情報を指定しての前記情報取得手段による情報の取得ができなかった前記無線タグ回路素子が存在した場合、前記通信装置側アンテナを介して、当該無線タグ回路素子の前記ＩＣ回路部に対し前記指定したタグ識別情報の書き込みを行う通信装置側書き込み手段を有する
ことを特徴とする請求項２記載の無線タグ管理システム。
【請求項６】
前記無線タグ作成装置の前記作成装置側情報出力手段は、
前記作成装置側書き込み手段で書き込んだ前記タグ識別情報とともに、当該タグ識別情報に対応した前記対象物情報を前記操作端末へ出力し、
前記操作端末の前記端末側情報出力手段は、
前記作成装置側情報出力手段からの前記対象物情報を、前記無線タグ通信装置へ出力し、
前記無線タグ通信装置は、
前記端末側情報出力手段から出力された前記対象物情報を表示する表示手段を有する
ことを特徴とする請求項５記載の無線タグ管理システム。
【請求項７】
前記無線タグ作成装置は、
前記タグ媒体に対し、又は、前記タグ媒体に貼り合わされる被印字媒体に対し、前記対象物に対応した印字情報を印刷する印字手段を有し、
前記無線タグ通信装置の前記表示手段は、
前記印字情報に対応した前記対象物情報を表示する
ことを特徴とする請求項６記載の無線タグ管理システム。
【請求項８】
前記無線タグ通信装置は、
前記通信装置側書き込み手段で書き込んだ前記タグ識別情報を指定しての前記情報の取得を図るように、前記情報取得手段を制御する、再取得制御手段を有する
ことを特徴とする請求項５乃至請求項７のいずれか１項記載の無線タグ管理システム。
【請求項９】
前記再取得制御手段による前記情報の取得ができなかった場合、対応する新規な前記無線タグの発行を要求するための再発行要求信号を前記操作端末に出力する第２再発行要求出力手段を有し、
前記操作端末は、
前記無線タグ通信装置の前記第２再発行要求出力手段からの前記再発行要求信号に応じて、前記無線タグ作成装置に再発行指示信号を出力する第２再発行指示出力手段を有し、
前記無線タグ作成装置は、
前記操作端末の前記第２再発行指示出力手段からの前記再発行指示信号に応じて、新たな前記タグ識別情報を用いて新たな無線タグを作成するとともに当該タグ識別情報を前記操作端末へ出力するように、前記搬送手段、前記作成装置側書き込み手段、及び前記作成装置側情報出力手段を制御する、第２再発行制御手段を有する
ことを特徴とする請求項８記載の無線タグ管理システム。
【発明の詳細な説明】
【技術分野】
【０００１】
本発明は、情報を記憶するＩＣ回路部と情報を送受信するタグアンテナとを備えた無線タグ回路素子を備えた無線タグの作成等を行う無線タグ管理システムに関する。
【背景技術】
【０００２】
情報を記憶する無線タグ回路素子を有する無線タグに対し非接触（コイルを用いる電磁結合方式、電磁誘導方式、あるいは電波方式等）で情報の送受信を行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
上記無線タグを作成する無線タグ作成装置として、例えば特許文献１に記載のものがある。この無線タグ作成装置（ＲＦＩＤラベルプリンタ）では、ラベルに内包される無線タグ回路素子（ＲＦＩＤタグ）に対し、装置内に設けたリーダライタ装置で情報の書き込みを行うと共に、ラベルに対し上記書き込んだ情報に対応した印刷を行うことにより、無線タグを作成する。このとき、無線タグ作成装置は、正常に書き込みが行われたか否かを確認するためのテストモードを有しており、このテストモードが設定されている場合には、上記情報書き込みが行われた無線タグ回路素子に対しリーダライタ装置で情報読み取りを行い、その読み取り結果に基づき正常に書き込みが行われたか否かの確認を行う。
【特許文献１】特開２００６−１８４５５号公報
【発明の開示】
【発明が解決しようとする課題】
【０００４】
一般に、ＲＦＩＤシステムにおいては、無線タグを管理対象となる対象物に設置しておき、この無線タグに対し、操作者が例えば携帯型の無線タグ通信装置により所定距離離れた位置から情報読み取りを行うことにより、対象物の管理等を行う。
【０００５】
ここで、上記従来技術の無線タグ作成装置では、無線タグ回路素子に対し正常に情報書き込みが行われたか否かを確認するために、情報書き込み後の無線タグ回路素子に対しリーダライタ装置で情報読み取りを行うが、この通信は装置内に設けたリーダライタ装置により近接した距離から行われるため、上記無線タグの実用態様を鑑みると実用的な確認方法とは言えない。
【０００６】
そこで、別途用意した無線タグ通信装置で情報読み取りを行って確認を行うことが考えられるが、この場合には作成した無線タグの無線タグ回路素子のタグ識別情報（タグＩＤ）を無線タグ通信装置に個別に転送する必要があるため、特に複数の無線タグを作成したような場合には多大な労力を要することとなる。
【０００７】
本発明の目的は、無線タグ作成後に実行すべき通信信頼性の確認作業における操作者の労力を大きく低減することができる無線タグ管理システムを提供することにある。
【課題を解決するための手段】
【０００８】
上記目的を達成するために、第１発明の無線タグ管理システムは、情報を記憶するＩＣ回路部と情報を送受信するタグアンテナとを備えた無線タグ回路素子を備えた無線タグを作成する無線タグ作成装置と、前記無線タグ作成装置を操作するための操作端末と、前記無線タグ作成装置で作成された無線タグに対して情報読み取りを行うための無線タグ通信装置とを有する無線タグ管理システムであって、前記無線タグ作成装置は、タグ媒体を搬送するための搬送手段と、前記タグ媒体に備えられた前記無線タグ回路素子と無線通信するための作成装置側アンテナと、前記無線タグの設置対象の対象物情報に対応して前記無線タグ回路素子に付与されるタグ識別情報を、前記作成装置側アンテナを介し前記ＩＣ回路部へ書き込み、前記無線タグを作成する作成装置側書き込み手段と、前記作成装置側書き込み手段で書き込んだ前記タグ識別情報を、前記操作端末へ出力する作成装置側情報出力手段とを有し、前記操作端末は、前記無線タグ作成装置の前記作成装置側情報出力手段から送信された前記タグ識別情報を記憶する端末側記憶手段と、前記無線タグ作成装置が少なくとも１つの前記無線タグを作成した後、前記端末側記憶手段に記憶された、前記少なくとも１つの無線タグにそれぞれ対応した少なくとも１つの前記タグ識別情報を、一括して前記無線タグ通信装置へ出力する端末側情報出力手段とを有し、前記無線タグ通信装置は、前記無線タグ回路素子に対し、無線通信を行うための通信装置側アンテナと、前記操作端末の前記端末側情報出力手段から出力された前記少なくとも１つのタグ識別情報を、探索対象として記憶する通信装置側記憶手段と、前記通信装置側記憶手段に記憶された前記少なくとも１つのタグ識別情報を順次指定しながら、前記通信装置側アンテナを介し、前記指定された前記無線タグ回路素子の前記ＩＣ回路部から情報を取得する情報取得手段とを有することを特徴とする。
【０００９】
本願第１発明においては、操作端末からの操作に基づき、無線タグ作成装置で無線タグの作成が行われる。無線タグ作成装置では、搬送手段がタグ媒体を搬送し、タグ媒体の無線タグ回路素子に備えられたＩＣ回路部に対し、作成装置側書き込み手段がタグ識別情報を書き込んで、無線タグを作成する。使用されたタグ識別情報は、作成装置側情報出力手段から出力され、操作端末の端末側記憶手段に記憶される。そして、上記のようにして少なくとも１つの無線タグが作成された後は、端末側記憶手段に記憶された、少なくとも１つの無線タグ回路素子それぞれのタグ識別情報が、端末側情報出力手段より一括して無線タグ通信装置へと出力され、通信装置側記憶手段に記憶される。この結果、上記作成された無線タグに対し、無線通信により情報読み取りが可能であるかを試行したい場合には、情報取得手段で、上記通信装置側記憶手段に記憶された少なくとも１つのタグ識別情報を順次指定しつつ、その指定された無線タグ回路素子の前記ＩＣ回路部から情報を取得すればよい。
【００１０】
以上のように、本願第１発明においては、無線タグ作成装置で作成時に使用した少なくとも１つの無線タグのタグ識別情報が操作端末を介して一括して無線タグ通信装置へ自動的に送られるので、それら少なくとも１つの無線タグに対して容易に情報読み取りの試行を行うことができる。この結果、無線タグ作成後に実行すべき通信信頼性の確認作業における、操作者の労力を大きく低減することができる。この効果は、特に複数の無線タグを作成した場合に顕著である。
【００１１】
第２発明の無線タグ管理システムは、上記第１発明において、前記無線タグ通信装置は、前記通信装置側記憶手段に記憶された複数の前記タグ識別情報を順次指定しながら、前記情報取得手段で前記情報の取得を行う複数タグ検出モードと、前記通信装置側記憶手段に記憶された１つの前記タグ識別情報を指定し、前記情報取得手段で前記情報の取得を行う単一タグ検出モードとを切り替え可能な、モード切替手段を有しており、前記操作端末は、前記端末側情報出力手段が前記複数のタグ識別情報を出力するのに対応して、前記複数タグ検出モードへの切り替えを指示する切替指示信号を出力する切替指示出力手段を有しており、前記モード切替手段は、前記操作端末の前記切替指示出力手段からの前記切替指示信号に応じて、前記複数タグ検出モードへの切り替えを行うことを特徴とする。
【００１２】
本願第２発明においては、操作端末から無線タグ通信装置へ複数のタグ識別情報を出力する際、切替指示出力手段が切替指示信号を出力し、これに応じて無線タグ通信装置のモード切替手段が複数タグ検出モードにモード切り替えを行う。これにより、無線タグ通信装置がそれまでに単一タグ検出モードに切り替えられていた場合であっても、複数の無線タグ作成後に通信信頼性の確認作業を実行する際には、確実に複数タグ検出モードへ自動で切り替えることができる。この結果、操作者による手動のモード切り替えが不要となるので、操作者の労力を確実に低減することができる。
【００１３】
第３発明の無線タグ管理システムは、上記第２発明において、前記無線タグ通信装置は、前記タグ識別情報を指定しての前記情報取得手段による情報の取得ができなかった前記無線タグ回路素子が存在した場合、対応する新規な前記無線タグの発行を要求するための再発行要求信号を前記操作端末に出力する第１再発行要求出力手段を有し、前記操作端末は、前記無線タグ通信装置の前記第１再発行要求出力手段からの前記再発行要求信号に応じて、前記無線タグ作成装置に再発行指示信号を出力する第１再発行指示出力手段を有し、前記無線タグ作成装置は、前記操作端末の前記第１再発行指示出力手段からの前記再発行指示信号に応じて、新たな前記タグ識別情報を用いて新たな無線タグを作成するとともに当該タグ識別情報を前記操作端末へ出力するように、前記搬送手段、前記作成装置側書き込み手段、及び前記作成装置側情報出力手段を制御する、第１再発行制御手段を有することを特徴とする。
【００１４】
これにより、複数の無線タグ作成後に通信信頼性の確認作業を実行し、情報読み取りができなかった（通信信頼性が疑われる）無線タグがあった場合には、当該無線タグの使用を断念し、その無線タグに代えて、新たな無線タグを自動的に無線タグ作成装置で作成することができる。
【００１５】
第４発明の無線タグ管理システムは、上記第３発明において、前記操作端末の前記端末側記憶手段は、前記無線タグ作成装置の前記作成装置側情報出力手段から送信された前記新たなタグ識別情報を記憶し、前記端末側情報出力手段は、前記端末側記憶手段に記憶された、前記新たなタグ識別情報を、一括して前記無線タグ通信装置へ出力し、前記切替指示出力手段は、前記端末側情報出力手段が前記新たなタグ識別情報を出力するのに対応して、前記単一タグ検出モード若しくは複数タグ検出モードへの切り替えを指示する前記切替指示信号を出力し、前記無線タグ通信装置の前記モード切替手段は、前記操作端末の前記切替指示出力手段からの前記切替指示信号に応じて、前記単一タグ検出モード若しくは複数タグ検出モードへの切り替えを行うことを特徴とする。
【００１６】
これにより、無線タグ作成装置で新たな無線タグ（単数若しくは複数）を作成する時に使用した無線タグのタグ識別情報が操作端末を介して無線タグ通信装置へ送られ、当該新たな無線タグに対してもさらに情報読み取りの試行を容易に行うことができる。そしてこのとき、切替指示出力手段からの切替指示信号に応じて、無線タグ通信装置のモード切替手段が単一タグ検出モード若しくは複数タグ検出モードにモード切り替えを行う。これにより、上述した複数の無線タグ作成後の通信信頼性の確認作業のために無線タグ通信装置が複数タグ検出モードに切り替えられていた場合であっても、上記新たな無線タグが単数である場合には確実に単一タグ検出モードへ自動で切り替えることができ、また新たな無線タグが複数である場合には複数タグ検出モードをそのまま維持することができる。この結果、操作者による手動のモード切り替えが不要となるので、操作者の労力を確実に低減することができる。
【００１７】
第５発明の無線タグ管理システムは、上記第２発明において、前記無線タグ通信装置は、前記タグ識別情報を指定しての前記情報取得手段による情報の取得ができなかった前記無線タグ回路素子が存在した場合、前記通信装置側アンテナを介して、当該無線タグ回路素子の前記ＩＣ回路部に対し前記指定したタグ識別情報の書き込みを行う通信装置側書き込み手段を有することを特徴とする。
【００１８】
これにより、複数の無線タグ作成後に通信信頼性の確認作業を実行し、情報読み取りができなかった（通信信頼性が疑われる）無線タグがあった場合には、その無線タグの無線タグ回路素子に対し、再度同じタグ識別情報の書き込みを行うことができる。
【００１９】
第６発明の無線タグ管理システムは、上記第５発明において、前記無線タグ作成装置の前記作成装置側情報出力手段は、前記作成装置側書き込み手段で書き込んだ前記タグ識別情報とともに、当該タグ識別情報に対応した前記対象物情報を前記操作端末へ出力し、前記操作端末の前記端末側情報出力手段は、前記作成装置側情報出力手段からの前記対象物情報を、前記無線タグ通信装置へ出力し、前記無線タグ通信装置は、前記端末側情報出力手段から出力された前記対象物情報を表示する表示手段を有することを特徴とする。
【００２０】
上記通信装置側書き込み手段によるタグ識別情報の書き込みを行う際、対象となる無線タグからは情報読み取りを行えていないため、そのままでは当該無線タグ回路素子を特定することが難しい。そこで本願第６発明においては、無線タグ作成装置の作成装置側情報出力手段が書き込んだタグ識別情報とともに対応する対象物情報を出力し、その対象物情報が操作端末を介して無線タグ通信装置で取得され、表示手段で表示される。これにより、操作者は、書き込み対象の無線タグ回路素子に対応する対象物情報を表示手段の表示によって確認し、当該無線タグ回路素子を特定して書き込みを行うことができる。
【００２１】
第７発明の無線タグ管理システムは、上記第６発明において、前記無線タグ作成装置は、前記タグ媒体に対し、又は、前記タグ媒体に貼り合わされる被印字媒体に対し、前記対象物に対応した印字情報を印刷する印字手段を有し、前記無線タグ通信装置の前記表示手段は、前記印字情報に対応した前記対象物情報を表示することを特徴とする。
【００２２】
これにより、通信装置側書き込み手段によるタグ識別情報の書き込みを行う際、その無線タグに印刷された印字情報に対応した対象物情報（例えば印字情報と実質的に同一の対象物情報）が表示手段で表示される。これにより、操作者が書き込み対象の無線タグ回路素子をさらに容易に特定することができる。
【００２３】
第８発明の無線タグ管理システムは、上記第５乃至第７発明のいずれかにおいて、前記無線タグ通信装置は、前記通信装置側書き込み手段で書き込んだ前記タグ識別情報を指定しての前記情報の取得を図るように、前記情報取得手段を制御する、再取得制御手段を有することを特徴とする。
【００２４】
これにより、複数の無線タグ作成後に実行した確認作業で通信信頼性が疑われ、無線タグ通信装置を用いて再度タグ識別情報の書き込みを行った無線タグに対しても、通信信頼性の確認作業を実行することができる。
【００２５】
第９発明の無線タグ管理システムは、上記第８発明において、前記再取得制御手段による前記情報の取得ができなかった場合、対応する新規な前記無線タグの発行を要求するための再発行要求信号を前記操作端末に出力する第２再発行要求出力手段を有し、前記操作端末は、前記無線タグ通信装置の前記第２再発行要求出力手段からの前記再発行要求信号に応じて、前記無線タグ作成装置に再発行指示信号を出力する第２再発行指示出力手段を有し、前記無線タグ作成装置は、前記操作端末の前記第２再発行指示出力手段からの前記再発行指示信号に応じて、新たな前記タグ識別情報を用いて新たな無線タグを作成するとともに当該タグ識別情報を前記操作端末へ出力するように、前記搬送手段、前記作成装置側書き込み手段、及び前記作成装置側情報出力手段を制御する、第２再発行制御手段を有することを特徴とする。
【００２６】
これにより、複数の無線タグ作成後に実行した確認作業で通信信頼性が疑われ、無線タグ通信装置を用いて再度タグ識別情報の書き込みを行った無線タグについて、依然として通信信頼性が疑われる場合には、当該無線タグの使用を断念し、その無線タグに代えて新たな無線タグを自動的に無線タグ作成装置で作成することができる。
【発明の効果】
【００２７】
本発明によれば、無線タグ作成後に実行すべき通信信頼性の確認作業における操作者の労力を大きく低減することができる。
【発明を実施するための最良の形態】
【００２８】
以下、本発明の一実施の形態を図面を参照しつつ説明する。
【００２９】
図１は、本実施形態の無線タグ管理システムの全体構成を表すシステム構成図である。
【００３０】
図１において、無線タグ管理システムＴＳは、情報を記憶するＩＣ回路部１５０と情報を送受信するタグアンテナ１５１とを備えた無線タグ回路素子Ｔｏを備えた無線タグＴを作成すると共に、その無線タグＴの通信信頼性の確認等を行うことが可能なシステムである。この無線タグ管理システムＴＳは、無線タグＴを作成する無線タグ作成装置５００と、表示部１０１及び操作部１０２を備え、上記無線タグ作成装置５００を操作するための操作端末１００と、この操作端末１００と端末間無線通信（Ｂｌｕｅｔｏｏｔｈ（登録商標）等）により情報送受信可能に接続され、無線タグ作成装置５００で作成された単数又は複数（図示する例では５つ）の無線タグＴに対して情報読み取り又は情報書き込みを行うための無線タグ通信装置２００とを有している。上記操作端末１００及び無線タグ作成装置５００は、有線あるいは無線のネットワークＮＷ（ＬＡＮ、無線ＬＡＮ等）を介して情報送受信可能に接続されている。
【００３１】
図２は、操作端末１００及び無線タグ通信装置２００の機能構成を表す機能ブロック図である。
【００３２】
図２において、操作端末１００は、各種操作画面や入力画面等の表示を行うための上記表示部１０１と、適宜のボタン、キー、マウス等により構成され、操作者が操作入力を行うための上記操作部１０２と、上記無線タグ作成装置５００との間でネットワークＮＷを介して行われるネットワーク通信の制御を行うネットワーク通信制御部１０３と、上記無線タグ通信装置２００との間で行われる端末間無線通信の制御を行う端末間通信制御部１０４と、上記表示部１０１、ネットワーク通信制御部１０３、及び端末間通信制御部１０４を含む操作端末１００全体の動作を制御する制御回路１０５と、無線タグＴ作成後に無線タグ作成装置５００からネットワークＮＷを介して送信される、無線タグＴ（に備えられる無線タグ回路素子Ｔｏ）のタグ識別情報としてのタグＩＤ、及び無線タグＴに印字される印字データを記憶する記憶部１０６（端末側記憶手段）とを有する。
【００３３】
上記構成である操作端末１００では、無線タグＴの作成後に無線タグ作成装置５００より受信し上記記憶部１０６に記憶された、単数又は複数の無線タグＴにそれぞれ対応した単数又は複数のタグＩＤ及び印字データを、ネットワークＮＷを介して一括して無線タグ通信装置２００へ出力するようになっている（詳細は後述）。
【００３４】
無線タグ通信装置２００は、上述したように、無線タグ作成装置５００で作成された無線タグＴに対し情報読み取り又は情報書き込みを行うことが可能なリーダライタである。この無線タグ通信装置２００は、各種表示を行う表示部２０１（表示手段）と、操作者が各種操作入力を行うための操作部２０２と、単数又は複数（図示する例では５つ）の無線タグＴの無線タグ回路素子Ｔｏに対し、無線通信を行うための通信装置側アンテナ２０３と、この通信装置側アンテナ２０３を介し上記無線タグ回路素子ＴｏのＩＣ回路部１５０へ無線通信によりアクセスすると共に、その無線タグ回路素子Ｔｏから読み出された信号を処理する高周波回路２０４と、上記操作端末１００との間で行われる端末間無線通信の制御を行う端末間通信制御部２０５と、上記表示部２０１、高周波回路２０４、及び端末間通信制御部２０５を含む無線タグ通信装置２００全体の制御を行う制御回路２０６と、操作端末１００から出力された単数又は複数のタグＩＤ及び印字データを、探索対象として記憶する記憶部２０７（通信装置側記憶手段）とを有する。
【００３５】
上記無線タグ通信装置２００は、操作端末１００より受信し上記記憶部２０７に記憶された複数のタグＩＤを順次指定しながら複数の無線タグＴから情報の取得を行うマルチサーチモード（複数タグ検出モード）と、操作端末１００より受信し上記記憶部２０７に記憶された１つのタグＩＤを指定して単数の無線タグＴから情報の取得を行うシングルサーチモード（単一タグ検出モード）とを切り替え可能な構成となっている（詳細は後述）。
【００３６】
図３は、上記無線タグ作成装置５００の機能構成を表す機能ブロック図である。
【００３７】
図３において、無線タグ作成装置５００は、上述したように無線タグＴを作成する機能を備えている。すなわち、無線タグ作成装置５００は、所定間隔で無線タグ回路素子Ｔｏが備えられたタグテープ５０３（タグ媒体）を巻回したタグテープロール５０４（本来は渦巻状であるが簡略化して同心円で図示している）又はこれを備えたカートリッジ（図示せず）を着脱可能なカートリッジホルダ５０６と、上記タグテープロール５０４から繰り出されたタグテープ５０３のうち各無線タグ回路素子Ｔｏに対応した領域に、無線タグＴの設置対象である対象物に対応した印字データ（例えば対象物の名称等）を印刷する印字ヘッド５０５（印字手段）と、タグテープ５０３を搬送するための搬送ローラ５０８（搬送手段）と、タグテープ５０３に備えられる無線タグ回路素子Ｔｏとの間で無線通信により情報の送受信を行い無線タグ情報（本実施形態ではタグＩＤ）の書き込みを行う作成装置側アンテナ５０１及び高周波回路５０２と、タグテープ５０３への印字及び無線タグ回路素子Ｔｏへの情報書き込みが終了したタグテープ５０３を所定の長さに切断して無線タグＴを形成するカッタ５０７と、上記操作端末１００との間でネットサークＮＷを介して行われるネートワーク通信の制御を行うネットワーク通信制御部５０９と、以上の高周波回路５０２、印字ヘッド５０５、カッタ５０７、搬送ローラ５０８、及びネットワーク通信制御部５０９等を含む無線タグ作成装置５００全体の動作制御を行う制御回路５１０とを有する。
【００３８】
上記構成である無線タグ作成装置５００では、無線タグＴを作成する際、タグテープ５０３の無線タグ回路素子ＴｏのＩＣ回路部１５０に対し、作成装置側アンテナ５０２を介しタグＩＤを書き込む。このタグＩＤは、操作端末２００において無線タグＴの設置対象の対象物情報（例えば対象物の名称等）に対応して無線タグ回路素子Ｔｏに付与されるものであり、上記印字データと共に操作端末２００より受信するようになっている。また、無線タグ作成装置５００は、無線タグＴの作成後には、当該無線タグＴの無線タグ回路素子Ｔｏに書き込んだタグＩＤ及び印字データを、ネットワークＮＷを介して操作端末１００へ出力する。この出力されたタグＩＤ及び印字データは、上述したように操作端末１００の記憶部１０６に記憶される。
【００３９】
図４は、上記無線タグ通信装置２００の高周波回路２０４の詳細構成を表す機能ブロック図である。
【００４０】
この図４において、高周波回路２０４は、上記通信装置側アンテナ２０３を介し無線タグＴの無線タグ回路素子ＴｏのＩＣ回路部１５０の情報へアクセスするものであり、また無線タグ通信装置２００の制御回路２０６は、無線タグＴの無線タグ回路素子ＴｏのＩＣ回路部１５０から読み出された信号を処理して情報を読み出すと共に、無線タグ回路素子ＴｏのＩＣ回路部１５０へアクセス（情報読み取り又は情報書き込み）するための各種コマンドを生成するものである。
【００４１】
高周波回路２０４は、通信装置側アンテナ２０３を介し無線タグＴの無線タグ回路素子Ｔｏに対して信号を送信する送信部１４２と、通信装置側アンテナ２０３により受信された無線タグ回路素子Ｔｏからの応答波を入力する受信部１４３と、送受分離器１４４とから構成される。
【００４２】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路２０６の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路２０６から供給される信号に基づいて上記発生させられた搬送波を変調（この例では制御回路２０６からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路２０６からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介し通信装置側アンテナ２０３に伝達されて無線タグ回路素子ＴｏのＩＣ回路部１５０に供給される。なお、質問波は上記のように変調した信号（変調波）に限られず、単なる搬送波のみの場合もある。
【００４３】
受信部１４３は、通信装置側アンテナ２０３で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記通信装置側アンテナ２０３で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路２０６に入力されて処理される。
【００４４】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」が制御回路２０６に入力される。これにより、無線タグ通信装置２００では、無線タグ回路素子Ｔｏとの通信時における当該無線タグ回路素子Ｔｏからの信号の受信強度を検出することが可能となっている。
【００４５】
なお、以上では説明しなかったが、前述の無線タグ作成装置５００の高周波回路５０２についても、上記無線タグ通信装置２００の高周波回路２０４と同様の構成を有している。
【００４６】
図５は、上記無線タグ回路素子Ｔｏの機能的構成の一例を表す機能ブロック図である。
【００４７】
この図５において、無線タグ回路素子Ｔｏは、上述したように無線タグ通信装置２００の通信装置側アンテナ２０３（又は無線タグ作成装置５００の作成装置側アンテナ５０１）と非接触で信号の送受信を行う上記タグアンテナ１５１と、このタグアンテナ１５１に接続された上記ＩＣ回路部１５０とを有している。
【００４８】
ＩＣ回路部１５０は、タグアンテナ１５１により受信された質問波（質問信号）を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記無線タグ通信装置２００からの上記質問信号の受信時に当該無線タグ回路素子Ｔｏが応答信号をどの識別スロットに出力するかを決定するための乱数を発生させる乱数発生器１５８（質問信号、識別スロットについての詳細は後述）と、上記メモリ部１５５、クロック抽出部１５４、乱数発生器１５８、及び変復調部１５６等を介して上記無線タグ回路素子Ｔｏの作動を制御するための上記制御部１５７とを備えている。
【００４９】
変復調部１５６は、タグアンテナ１５１により受信された上記無線タグ通信装置２００の通信装置側アンテナ２０３（又は無線タグ作成装置５００の作成装置側アンテナ５０１）からの質問波の復調を行い、また、上記制御部１５７からの返信信号を変調し、タグアンテナ１５１より応答波（タグＩＤを含む信号）として送信する。
【００５０】
クロック抽出部１５４は受信した信号からクロック成分を抽出し、当該クロック成分の周波数に対応したクロックを制御部１５７に供給する。
【００５１】
乱数発生器１５８は、上記無線タグ通信装置２００からの上記質問信号に指定されているスロット数指定値Ｑに対し、０から２Ｑ−１までの乱数を発生させる（詳細は後述する）。
【００５２】
制御部１５７は、上記変復調部１５６により復調された受信信号を解釈し、上記メモリ部１５５において記憶された情報信号に基づいて返信信号を生成し、この返信信号を上記乱数発生器１５８により発生させた乱数に対応する識別スロットで上記変復調部１５６により上記タグアンテナ１５１から返信する制御等の基本的な制御を実行する。
【００５３】
以上のような構成である本実施形態の無線タグ管理システムＴＳの最も大きな特徴は、操作端末１００からの操作に基づき、無線タグ作成装置５００で複数（単数も可）の無線タグＴの作成が行われると、その際に各無線タグ回路素子Ｔｏに書き込まれた複数のタグＩＤが、無線タグ作成装置５００より操作端末１００を介して一括して無線タグ通信装置２００へと出力され、この結果、無線タグ通信装置２００は自動的に上記マルチサーチモード（無線タグＴが単数の場合はシングルサーチモード）に切り替わり、上記作成された無線タグＴに対し、複数のタグＩＤを順次指定しつつ無線通信により情報読み取りが可能であるかを試行できるようにしたことである。以下、その詳細を順次説明する。
【００５４】
まず、無線タグ通信装置２００で無線タグＴに対し情報読み取りを行う際に、無線タグ通信装置２００と無線タグ回路素子Ｔｏとの間で送受される信号とその送受方法について説明する。図６は、無線タグ通信装置２００と１つの上記無線タグ回路素子Ｔｏとの間で送受される信号のタイムチャートの一例を表す図である。なお、この図６に示す信号の送受方法は、公知のＲａｎｄｏｍ−Ｓｌｏｔｔｅｄ  Ｃｏｌｌｉｓｉｏｎ  ａｒｂｉｔｒａｔｉｏｎ方式に基づくものであり、図中では左側から右側に向かって時系列変化するよう示している。また、無線タグ通信装置２００と無線タグ回路素子Ｔｏとの間に記載されている矢印は信号の送信方向を示しており、送信相手が不特定である場合には破線で示し、送信相手が特定されている場合には実線で示している。
【００５５】
この図６において、無線タグ通信装置２００はまず最初に通信可能領域に存在する全ての無線タグ回路素子Ｔｏに対して「Ｓｅｌｅｃｔ」コマンドを送信する。この「Ｓｅｌｅｃｔ」コマンドは、それ以降に無線タグ通信装置２００が無線通信を行う無線タグ回路素子Ｔｏの条件を指定するコマンドであり、各種の条件を指定して情報の読み取り対象とする無線タグ回路素子Ｔｏの個数を限定し、無線通信の効率化を図ることができる。そして、この「Ｓｅｌｅｃｔ」コマンドを受信した無線タグ回路素子Ｔｏのうちで、指定された条件を満たす無線タグ回路素子Ｔｏだけがその後に無線通信を行える状態となる（図中ではこの条件を満たす一つ無線タグ回路素子Ｔｏのみを示している）。
【００５６】
次に無線タグ通信装置２００は、同じ無線タグ群に対してそれぞれのタグ情報（識別情報であるタグＩＤを含む）を応答発信させるよう要求する「Ｑｕｅｒｙ」コマンド（読み取りコマンド）を送信する。この「Ｑｕｅｒｙ」コマンドは、応答すると予想される無線タグ回路素子Ｔｏの数が不確定な条件下において探索を行うための探索指令である。この「Ｑｕｅｒｙ」コマンドには、所定の数（例えばこの例で０から１５までのいずれかの値）で指定するスロット数指定値Ｑが含まれている。高周波回路２０４から通信装置側アンテナ２０３を介し「Ｑｕｅｒｙ」コマンドが送信されると、各無線タグ回路素子Ｔｏは０から２Ｑ−１（＝２のＱ乗−１）までの乱数を乱数発生器１５８により生成し、スロットカウント値Ｓとして保持する。
【００５７】
そして無線タグ通信装置２００が通信装置側アンテナ２０３を介して該「Ｑｕｅｒｙ」コマンドを送信後、所定の識別スロットで無線タグ回路素子Ｔｏからの応答を待ち受ける。この識別スロットとは、この「Ｑｕｅｒｙ」コマンド、または後述する「ＱｕｅｒｙＲｅｐ」コマンドを始めに送信してから所定の期間で区分される時間枠である。識別スロットは、通常、所定回数（「Ｑｕｅｒｙ」コマンドの第１識別スロット１回と「ＱｕｅｒｙＲｅｐ」コマンドの第２以降の識別スロット２Ｑ−１回の計２Ｑ回）が連続して繰り返される。
【００５８】
そして、図示の例のように無線タグ回路素子Ｔｏでスロットカウント値Ｓとして値０を生成したものは、この「Ｑｕｅｒｙ」コマンドを含んだ第１識別スロットで応答する。このとき、当該無線タグ回路素子Ｔｏはタグ情報を送信する許可を得るための例えば１６ビットの擬似乱数を用いた「ＲＮ１６」コマンドを応答信号として無線タグ通信装置２００へ送信する。
【００５９】
そして、この「ＲＮ１６」コマンドを受信した無線タグ通信装置２００は、この「ＲＮ１６」コマンドに対応する内容でタグ情報の送信を許可する「Ａｃｋ」コマンドを送信する。この「Ａｃｋ」コマンドを受信した無線タグ回路素子Ｔｏは、その無線タグ回路素子Ｔｏ自身が先に送信した「ＲＮ１６」コマンドと受信した「Ａｃｋ」コマンドが対応していると判断した場合に、当該無線タグ回路素子Ｔｏの個体がタグ情報の送信を許可されたものとみなしてタグ情報（タグＩＤ含む）を送信する。このようにして、一つの識別スロットにおける信号の送受信が行われる。
【００６０】
その後、さらに２番目以降の識別スロットでは、無線タグ通信装置２００は「Ｑｕｅｒｙ」コマンドの代わりに「ＱｕｅｒｙＲｅｐ」コマンドを送信し、その直後に設けられる識別スロット時間枠で他の無線タグ回路素子Ｔｏ（特に図示せず）の応答を待つ。「ＱｕｅｒｙＲｅｐ」コマンドを受信した各無線タグ回路素子Ｔｏは自身の上記スロットカウント値Ｓの値を一つだけ減算して保持し、該スロットカウント値Ｓが値０になった時点の識別スロットで「ＲＮ１６」コマンドを初めとした信号の送受信を無線タグ通信装置２００との間で行う。
【００６１】
なお、各識別スロットで該当する無線タグ回路素子Ｔｏ（当該識別スロットでスロットカウント値Ｓが０となるもの）がない場合には、「Ｑｕｅｒｙ」コマンドまたは「ＱｕｅｒｙＲｅｐ」コマンド以外の送受信が行われないまま所定の時間枠でその識別スロットを終了する。
【００６２】
このように各無線タグ回路素子Ｔｏが異なる識別スロットで応答信号を返信することで、通信装置側アンテナ２０３を介し、無線タグ通信装置２００は混信を受けることなく一つ一つの無線タグ回路素子Ｔｏのタグ情報を明確に受信し取り込むことができる。そして以上のように「Ｓｅｌｅｃｔ」コマンドが送信されてから、「Ｑｕｅｒｙ」コマンドの送信で始まる第１識別スロット（１回）と、その後の第２識別スロット以降の「ＱｕｅｒｙＲｅｐ」コマンドの送信で始まる識別スロットを所定数（通常２Ｑ−１回）繰り返して行うまでの処理単位を読み取り試行処理という（識別スロットは全部で通常２Ｑ個である）。また、無線タグ通信装置２００がこの読み取り試行処理を行う回数を読み取り試行回数という。
【００６３】
図７は、操作端末１００の制御回路１０５と、無線タグ通信装置２００の制御回路２０６と、無線タグ作成装置５００の制御回路５１０によって実行される制御内容を表すフローチャートである。
【００６４】
ステップＳ５では、操作端末１００の制御回路１０５は、無線タグ作成装置５００に対し、無線タグＴの作成を要求するタグ作成要求信号を、タグＩＤ及び印字データと共に、ネットワーク通信制御部１０３及びネットワークＮＷを介し送信する。このとき、作成する無線タグＴの数に対応して単数又は複数のタグＩＤ及び印字データを送信する。なお、上記タグＩＤは、操作者により無線タグＴの作成操作が行われた際に、制御回路５１０が例えばネットワークＮＷに接続された図示しないＩＤサーバ（又は操作端末１００が内蔵するハードディスク等でもよい）から取得し、作成される無線タグＴの設置対象の上記対象物情報に対応して各無線タグ回路素子Ｔｏに対し各々付与するものである。また、上記印字データは、操作者が操作部１０２を介し入力するものであり、例えば無線タグＴがファイルに設けられる場合にはそのファイル名等が印字データとして印刷される。
【００６５】
上記タグ作成要求信号を操作端末１００より受信した無線タグ作成装置５００の制御回路５１０は、ステップＳ１００において、上記受信したタグＩＤを無線タグ回路素子Ｔｏに書き込むと共に上記受信した印字データをタグテープ５０３に印刷して無線タグＴを作成する無線タグ作成処理を実行する（詳細手順は後述の図８参照）。これにより、無線タグ作成装置５００において単数又は複数の無線タグＴが作成される。
【００６６】
そして、ステップＳ１０において、無線タグ作成装置５００の制御回路５１０は、上記作成した単数又は複数の無線タグＴにそれぞれ対応する単数又は複数のタグＩＤ及び印字データを、ネットワーク通信制御部５０９及びネットワークＮＷを介し、操作端末１００に一括して送信する。なお、このステップＳ１０が、特許請求の範囲に記載の作成装置側情報出力手段を構成し、このステップＳ１０と上記ステップＳ１００とが、第１再発行制御手段を構成する。
【００６７】
上記タグＩＤ及び印字データを無線タグ作成装置５００より受信した操作端末１００の制御回路１０５は、ステップＳ１５において、当該受信した単数又は複数のタグＩＤ及び印字データを記憶部１０６に保存する。
【００６８】
そして、ステップＳ２０において、操作端末１００の制御回路１０５は、上記記憶部１０６に保存した単数又は複数のタグＩＤ及び印字データを、端末間通信制御部１０４及び端末間無線通信を介し、無線タグ通信装置２００に送信する。なお、このステップＳ２０が、特許請求の範囲に記載の端末側情報出力手段を構成する。
【００６９】
上記タグＩＤ及び印字データを操作端末１００より受信した無線タグ通信装置２００の制御回路２０６は、ステップＳ２５において、当該受信した単数又は複数のタグＩＤ及び印字データを記憶部２０７に保存する。
【００７０】
一方、操作端末１００の制御回路１０５は、ステップＳ３０において、上記ステップＳ１５で無線タグ作成装置５００より受信したタグＩＤが複数であるか否かを判定する。複数である場合には、判定が満たされてステップＳ３５に移り、上記ステップＳ２０で複数のタグＩＤ及び印字データを送信するのに対応して、無線タグ通信装置２００に対し上記マルチサーチモードへの切り替えを指示する切替指示信号を、端末間通信制御部１０４及び端末間無線通信を介し、無線タグ通信装置２００に送信する。一方、受信したタグＩＤが単数である場合には、上記ステップＳ３０の判定が満たされずにステップＳ４０に移り、無線タグ通信装置２００に対し上記シングルサーチモードへの切り替えを指示する切替指示信号を、端末間通信制御部１０４及び端末間無線通信を介し、無線タグ通信装置２００に送信する。なお、上記ステップＳ３０、ステップＳ３５、及びステップＳ４０が、特許請求の範囲に記載の切替指示出力手段を構成する。
【００７１】
上記切替指示信号を操作端末１００より受信した無線タグ通信装置２００の制御回路２０６は、ステップＳ４５において、切替指示信号による指示モードがマルチサーチモードであるか否かを判定する。操作端末１００よりシングルサーチモードに対応する切替指示信号を受信した場合には、判定が満たされずにステップＳ２００に移り、上記ステップＳ２５で記憶した単数のタグＩＤを指定して無線タグＴから情報を取得するシングルサーチ処理を実行する（詳細手順は後述の図９参照）。一方、操作端末１００よりマルチサーチモードに対応する切替指示信号を受信した場合には、判定が満たされてステップＳ３００に移り、上記ステップＳ２５で記憶した複数のタグＩＤを順次指定して複数の無線タグＴから情報を取得するマルチサーチ処理を実行する（詳細手順は後述の図１０参照）。なお、上記ステップＳ４５が、特許請求の範囲に記載のモード切替手段を構成し、上記ステップＳ２００及びステップＳ３００が、情報取得手段を構成する。
【００７２】
そして、ステップＳ５０において、無線タグ通信装置２００の制御回路２０６は、上記シングルサーチ処理又はマルチサーチ処理により情報読み取りができなかった無線タグＴが存在したか否かを判定する。全ての無線タグＴから情報読み取りができた場合には、情報読み取りができなかった無線タグＴが存在しないため、判定が満たされずに本フローを終了する。一方、情報読み取りができなかった無線タグＴが存在した場合には、判定が満たされてステップＳ５５に移る。
【００７３】
ステップＳ５５では、無線タグ通信装置２００の制御回路２０６は、操作端末１００に対し、上記情報読み取りができなかった無線タグＴの作成（再発行）を要求するタグ作成要求信号（再発行要求信号）を、対応するタグＩＤ及び印字データ（ステップＳ２５において記憶部２０７に記憶されている）と共に、端末間通信制御部２０５及び端末間無線通信を介し送信する。なお、このステップＳ５５が、特許請求の範囲に記載の第１再発行要求出力手段を構成する。
【００７４】
一方、操作端末１００の制御回路１０５は、ステップＳ６０において、無線タグ通信装置２００よりタグ作成（再発行）要求信号を受信したか否かを判定する。上記ステップＳ５５において無線タグ通信装置２００からタグ作成要求信号が送信され、当該タグ作成要求信号を受信した場合には、判定が満たされて先のステップＳ５に戻る。そして、操作端末１００の制御回路１０５は、無線タグ作成装置５００に対し、上記情報読み取りができなかった無線タグＴの作成（再発行）を要求するタグ作成要求信号（再発行指示信号）を、タグＩＤ及び印字データと共に、ネットワーク通信制御部１０３及びネットワークＮＷを介し送信する。なお、この場合における当該ステップＳ５が、特許請求の範囲に記載の第１再発行指示出力手段を構成する。これにより、無線タグ通信装置２００において情報読み取りができなかった無線タグＴについて、無線タグ作成装置５００で再び作成（再発行）が行われる。一方、上記ステップＳ６０において、無線タグ通信装置２００よりタグ作成（再発行）要求信号を受信しなかった場合には、判定が満たされずに本フローを終了する。
【００７５】
図８は、無線タグ作成装置５００の制御回路５１０により実行される、上記ステップＳ１００の無線タグ作成処理の詳細手順を表すフローチャートである。
【００７６】
ステップＳ１１０では、制御回路５１０は、ネットワークＮＷ及びネットワーク通信制御部５０９を介して操作端末１００（の制御回路１０５）より無線タグＴの作成要求信号（タグＩＤ及び印字データを含む）を受信したか否かの判定を行う。操作端末１００より作成要求信号を受信するまで本ステップを繰り返し、受信した場合には判定が満たされてステップＳ１２０に移る。
【００７７】
ステップＳ１２０では、制御回路５１０は、上記ステップＳ１１０で操作端末１００より受信した印字データに基づき、印字ヘッド５０５でタグテープ５０３の所定の印字領域に印字を行う。また、高周波回路５０２によりアクセス情報を生成して作成装置側アンテナ５０１を介して無線タグ回路素子Ｔｏへ送信し、ＩＣ回路部１５０へ操作端末１００より受信したタグＩＤの書き込みを行う。なお、このステップＳ１２０が、特許請求の範囲に記載の作成装置側書き込み手段を構成する。
【００７８】
ステップＳ１３０では、制御回路５１０は、カッタ５０７でタグテープ５０３の切断を行う。これにより、無線タグ回路素子ＴｏのＩＣ回路部１５０にタグＩＤが書き込まれると共に、印字領域に印字データに対応する印字が行われた無線タグＴが作成される。
【００７９】
ステップＳ１４０では、制御回路５１０は、操作端末１００より受信した単数又は複数のタグＩＤ及び印字データに対応する無線タグＴの作成を全て完了したか否かを判定する。完了していない場合には、判定が満たされずに先のステップＳ１２０に戻り、同様の手順を繰り返す。一方、全ての無線タグＴの作成を完了した場合には、本ルーチンを終了する。
【００８０】
図９は、無線タグ通信装置２００の制御回路２０６により実行される、上記ステップＳ２００のシングルサーチ処理の詳細手順を表すフローチャートである。
【００８１】
ステップＳ２１０では、制御回路２０６は、高周波回路２０４及び通信装置側アンテナ２０３を介し、操作端末１００より受信し上記ステップＳ２５において記憶部２０７に保存した１個のタグＩＤを指定して、無線タグ回路素子Ｔｏに対し「Ｓｅｌｅｃｔ」コマンド信号を送信する。
【００８２】
次のステップＳ２２０では、制御回路２０６は、上記「Ｓｅｌｅｃｔ」コマンド信号と同様に「Ｑｕｅｒｙ」コマンド信号を送信する。なおこのとき、スロット数指定値Ｑは０に指定されており、識別スロット数は２０＝１となっている。
【００８３】
次のステップＳ２３０では、制御回路２０６は、通信装置側アンテナ２０３及び高周波回路２０４を介し、所定の時間の間だけ無線タグ回路素子Ｔｏからの応答信号を受信する。その後、ステップＳ２４０において、制御回路２０６は、その受信時間の間に応答信号として「ＲＮ１６」コマンドを受信したか否かを判定する。この判定において、「ＲＮ１６」コマンドが受信されていない場合、判定が満たされず、すなわち当該識別スロット（ここでは第１識別スロット）で応答する無線タグ回路素子Ｔｏがないものとみなされて、上記ステップＳ２１０へ戻る。一方、「ＲＮ１６」コマンドが受信された場合、判定が満たされ、すなわち当該識別スロット（第１識別スロット）で応答する無線タグ回路素子Ｔｏが存在するとみなして、次のステップＳ２５０へ移る。
【００８４】
ステップＳ２５０では、制御回路２０６は、高周波回路２０４及び通信装置側アンテナ２０３を介し、上記ステップＳ２３０で受信された「ＲＮ１６」コマンドに含まれている疑似乱数に対応する内容の「Ａｃｋ」コマンドを送信する。その後、ステップＳ２６０において、制御回路２０６は、通信装置側アンテナ２０３及び高周波回路２０４を介し、無線タグ回路素子Ｔｏからタグ情報を受信する。その後、ステップＳ２７０において、制御回路２０６は、その受信したタグ情報中にタグＩＤが含まれるか否か（言い換えればタグＩＤの受信に成功したか否か）を判定する。タグＩＤが含まれていない場合には、判定が満たされずに先のステップＳ２１０に戻り、再び同様の手順を繰り返す（リトライ）。一方、タグＩＤが含まれている場合には、判定が満たされてステップＳ２８０に移る。
【００８５】
ステップＳ２８０では、制御回路２０６は表示部２０１に制御信号を送信し、探索対象であるタグＩＤが検知できた旨を表示部２０１に表示させる。そして、本ルーチンを終了する。
【００８６】
なお、上記フローチャートでは記載を省略したが、所定の回数上記リトライを繰り返してもタグＩＤの受信に成功しない場合には、情報読み取りができなかった無線タグＴとして当該タグＩＤを記憶部２０７に記憶する。そして、この記憶内容が、前述したステップＳ５０での読み取りができなかった無線タグＴがあったか否かの判定に用いられるようになっている。
【００８７】
また、上記では記載を省略したが、探索中には、探索対象の無線タグＴに対応するタグＩＤ及び印字データ（上記ステップＳ２５において記憶部２０７に保存されている）を表示部２０１に表示するようになっている。
【００８８】
図１０は、無線タグ通信装置２００の制御回路２０６により実行される、上記ステップＳ３００のマルチサーチ処理の詳細手順を表すフローチャートである。
【００８９】
ステップＳ３０５では、制御回路２０６は、操作端末１００より受信し上記ステップＳ２５において記憶部２０７に保存した複数のタグＩＤをカウントするための変数Ｎの値を０にリセットする。
【００９０】
ステップＳ３１０では、制御回路２０６は、変数Ｎの値に１を加え、その後にステップＳ３１５でこの変数Ｎの値がＮｍａｘ（記憶部２０７に保存した探索対象であるタグＩＤの数）以下であるか否か、すなわち記憶部２０７に保存した複数のタグＩＤ中の最後のタグＩＤの探索を終了したか否かを判定する。変数Ｎの値がＮｍａｘより大きい場合、判定が満たされず、すなわち記憶部２０７に保存した複数のタグＩＤの全ての探索が終了した（タグＩＤを受信できなかった場合を含む）ものとみなされて、本ルーチンを終了する。一方、変数Ｎの値がＮｍａｘ以下である場合、判定が満たされて、すなわち複数のタグＩＤの全ての探索処理が終了していないものとみなされて、ステップＳ３２０へ移る。
【００９１】
ステップＳ３２０では、制御回路２０６は、高周波回路２０４及び通信装置側アンテナ２０３を介し、記憶部２０７に保存した複数のタグＩＤ中のＮ番目のタグＩＤを指定して無線タグ回路素子Ｔｏに対し「Ｓｅｌｅｃｔ」コマンド信号を送信する。
【００９２】
次のステップＳ３２５では、制御回路２０６は、上記「Ｓｅｌｅｃｔ」コマンド信号と同様に「Ｑｕｅｒｙ」コマンド信号を送信する。なおこのとき、スロット数指定値Ｑは０に指定されており、識別スロット数は２０＝１となっている。
【００９３】
次のステップＳ３３０では、制御回路２０６は、通信装置側アンテナ２０３及び高周波回路２０４を介し、所定の時間の間だけ無線タグ回路素子Ｔｏからの応答信号を受信する。その後、ステップＳ３３５において、制御回路２０６は、その受信時間の間に応答信号として「ＲＮ１６」コマンドを受信したか否かを判定する。この判定において、「ＲＮ１６」コマンドが受信されていない場合、判定が満たされず、すなわち当該識別スロット（ここでは第１識別スロット）で応答する無線タグ回路素子Ｔｏがないものとみなされて、上記ステップＳ３１０へ戻る。一方、「ＲＮ１６」コマンドが受信された場合、判定が満たされ、すなわち当該識別スロット（第１識別スロット）で応答する無線タグ回路素子Ｔｏが存在するとみなして、次のステップＳ３４０へ移る。
【００９４】
ステップＳ３４０では、制御回路２０６は、高周波回路２０４及び通信装置側アンテナ２０３を介し、上記ステップＳ３３０で受信された「ＲＮ１６」コマンドに含まれている疑似乱数に対応する内容の「Ａｃｋ」コマンドを送信する。その後、ステップＳ３４５において、制御回路２０６は、通信装置側アンテナ２０３及び高周波回路２０４を介し、無線タグ回路素子Ｔｏからタグ情報を受信する。その後、ステップＳ３５０において、制御回路２０６は、その受信したタグ情報中にタグＩＤが含まれるか否か（言い換えればタグＩＤの受信に成功したか否か）を判定する。タグＩＤが含まれていない場合には、判定が満たされずに先のステップＳ３１０に戻り、変数Ｎの値に１を加えて同様の手順を繰り返す。一方、タグＩＤが含まれている場合には、判定が満たされてステップＳ３５５に移る。
【００９５】
ステップＳ３５５では、制御回路２０６は表示部２０１に制御信号を送信し、探索対象であるタグＩＤが検知できた旨を表示部２０１に表示させる。そして、先のステップＳ３１０に戻る。
【００９６】
なお、上記フローチャートでは記載を省略したが、ステップＳ３５０でタグＩＤの受信に成功していないと判定した場合には、情報読み取りができなかった無線タグＴとして当該タグＩＤを記憶部２０７に記憶した上で、ステップＳ３１０に戻る（あるいは所定の回数リトライを繰り返してもタグＩＤの受信に成功しない場合に当該タグＩＤを記憶部２０７に記憶するようにしてもよい）。そして、この記憶内容が、前述したステップＳ５０での読み取りができなかった無線タグＴがあったか否かの判定に用いられるようになっている。
【００９７】
以上の図７〜図１０で説明した制御により、無線タグ管理システムＴＳは例えば次のように動作する。すなわち、操作端末１００からのタグ作成要求信号（タグＩＤ及び印字データ含む）に基づき、無線タグ作成装置５００で例えば５つの無線タグＴ１，Ｔ２，Ｔ３，Ｔ４，Ｔ５の作成が行われると（ステップＳ１００）、その際に各無線タグ回路素子Ｔｏ−１，Ｔｏ−２，Ｔｏ−３，Ｔｏ−４，Ｔｏ−５に書き込まれた５つのタグＩＤ（及び印字データ。以下同様）が、無線タグ作成装置５００よりネットワークＮＷを介して一括して操作端末１００に送信され（ステップＳ１０）、記憶部１０６に記憶される（ステップＳ１５）。さらに、これらのタグＩＤは、操作端末１００から端末間無線通信を介して無線タグ通信装置２００に一括して送信され（ステップＳ２０）、記憶部２０７に記憶される（ステップＳ２５）。
【００９８】
一方、操作端末１００は、上記記憶部１０６に記憶されたタグＩＤが５つであるので、マルチサーチモードに対応した切替指示信号を、端末間無線通信を介して無線タグ通信装置２００に送信する（ステップＳ３０，Ｓ３５）。これにより、無線タグ通信装置２００は自動的にマルチサーチモードに切り替わり（ステップＳ４５）、上記作成された５つの無線タグＴ１，Ｔ２，Ｔ３，Ｔ４，Ｔ５に対し、５つのタグＩＤを順次指定しつつ無線通信により情報読み取りを行うマルチサーチ処理を実行する（ステップＳ３００）。
【００９９】
このマルチサーチ処理において、例えば無線タグＴ１，Ｔ２，Ｔ４，Ｔ５についてはタグＩＤを取得できたが、無線タグＴ３についてはタグＩＤを取得できなかった場合には、無線タグ通信装置２００は無線タグＴ３を通信信頼性の疑われる無線タグとみなし、操作端末１００に対し、対応する新規な無線タグＴ３の作成（再発行）を要求するタグ作成要求信号（無線タグＴ３のタグＩＤ及び印字データ含む）を、端末間無線通信を介して送信する（ステップＳ５０，Ｓ５５）。操作端末１００は、この無線タグ通信装置２００からのタグ作成要求信号に応じ、無線タグＴ３の作成（再発行）を要求するタグ作成要求信号（無線タグＴ３のタグＩＤ及び印字データ含む）を、ネットワークＮＷを介して無線タグ作成装置５００に送信する（ステップＳ６０，Ｓ５）。
【０１００】
無線タグ作成装置５００は、上記操作端末１００からのタグ作成要求信号に応じ、１つの無線タグＴ３の作成（再発行）を行うと（ステップＳ１００）、その際に無線タグ回路素子Ｔｏ−３に書き込んだ１つのタグＩＤを、ネットワークＮＷを介して操作端末１００に送信する（ステップＳ１０）。操作端末１００は、受信した無線タグＴ３に対応するタグＩＤを記憶部１０６に記憶すると共に（ステップＳ１５）、端末間無線通信を介して無線タグ通信装置２００に送信する（ステップＳ２０）。無線タグ通信装置２００は、受信した無線タグＴ３に対応するタグＩＤを記憶部２０７に記憶する（ステップＳ２５）。
【０１０１】
このとき、操作端末１００は、上記記憶部１０６に記憶したタグＩＤが１つであるので、シングルサーチモードに対応した切替指示信号を、端末間無線通信を介して無線タグ通信装置２００に送信する（ステップＳ３０，Ｓ４０）。これにより、無線タグ通信装置２００は自動的にシングルサーチモードに切り替わり（ステップＳ４５）、上記作成（再発行）された１つの無線タグＴ３に対し、１つのタグＩＤを指定しつつ無線通信により情報読み取りを行うシングルサーチ処理を実行する（ステップＳ２００）。これにより、作成（再発行）された無線タグＴ３からタグＩＤを取得できた場合には、無線タグＴ３の通信信頼性を確認できたとみなして処理を終了する（ステップＳ５０）。
【０１０２】
なお、上記の動作は一例であり、無線タグ管理システムＴＳの動作をこれに限定するものではない。例えば上記では情報読み取りができなかった無線タグＴが１つである場合を説明したが、複数存在した場合には、それらの無線タグＴの作成（再発行）後、無線タグ通信装置２００は再び自動的にマルチサーチモードに切り替わり、複数の無線タグＴに対し情報読み取りを実行する。また、再発行後の無線タグＴが再び情報読み取りができなかった場合には、当該無線タグＴについて再々発行を行うようになっている。
【０１０３】
以上説明した実施形態においては、無線タグ作成装置５００で作成時に使用した無線タグＴのタグＩＤが操作端末１００を介して一括して無線タグ通信装置２００へ自動的に送られるので、その無線タグＴに対して容易に情報読み取りの試行を行うことができる。この結果、無線タグＴ作成後に実行すべき通信信頼性の確認作業における、操作者の労力を大きく低減することができる。この効果は、特に複数の無線タグＴを作成した場合に顕著である。
【０１０４】
また、本実施形態では特に、操作端末１００から無線タグ通信装置２００へ複数のタグＩＤを出力する際に、マルチサーチモードに対応する切替指示信号を出力し、これに応じて無線タグ通信装置２００は自動的にマルチサーチモードにモード切り替えを行う。これにより、無線タグ通信装置２００がそれまでにシングルサーチモードに切り替えられていた場合であっても、複数の無線タグＴ作成後に通信信頼性の確認作業を実行する際には、確実にマルチサーチモードへ自動で切り替えることができる。この結果、操作者による手動のモード切り替えが不要となるので、操作者の労力を確実に低減することができる。
【０１０５】
また、本実施形態では特に、無線タグ作成装置５００で作成された無線タグＴに対し、無線タグ通信装置２００により通信信頼性の確認を行った際に、情報読み取りができなかった無線タグＴがあった場合には、無線タグ通信装置２００がその作成（再発行）を要求するタグ作成要求信号を操作端末１００を介して無線タグ作成装置５００に送信する。これにより、作成された無線タグＴの通信信頼性が疑われる場合には、当該無線タグＴの使用を断念し、その無線タグＴに代えて、新たな無線タグＴを自動的に無線タグ作成装置５００で作成することができる。
【０１０６】
また、本実施形態では特に、無線タグ作成装置５００で新たな無線タグＴ（１枚若しくは複数枚）を作成（再発行）する時に使用した無線タグＴのタグＩＤが、操作端末１００を介して無線タグ通信装置２００へ送られる。これにより、当該再発行を行った新たな無線タグＴに対してもさらに情報読み取りの試行を容易に行うことができる。そしてこのとき、操作端末１００からの切替指示信号に応じて、無線タグ通信装置２００が自動的にシングルサーチモード又はマルチサーチモードに切り替わる。これにより、上述した複数の無線タグＴ作成後の通信信頼性の確認作業のために無線タグ通信装置２００がマルチサーチモードに切り替えられていた場合であっても、再発行を行った新たな無線タグＴが単数である場合には確実にシングルサーチモードへ自動的に切り替えることができ、また再発行を行った新たな無線タグＴが複数である場合には、マルチサーチモードをそのまま維持することができる。この結果、操作者による手動のモード切り替えが不要となるので、操作者の労力を確実に低減することができる。
【０１０７】
なお、本発明は、上記実施形態に限られるものではなく、その趣旨及び技術的思想を逸脱しない範囲内で種々の変形が可能である。以下、そのような変形例を順を追って説明する。
【０１０８】
（１）読み取り不可の無線タグに対し無線タグ通信装置で書き込みを行う場合
上記実施形態では、無線タグ作成装置５００で作成された無線タグＴに対し、無線タグ通信装置２００により通信信頼性の確認を行った際に、情報読み取りができなかった無線タグＴがあった場合には、無線タグ作成装置５００による作成（再発行）を行うようにしたが、これに限られない。本変形例は、この場合に、当該無線タグＴについて、無線タグ通信装置２００により情報書き込みを行うものである。
【０１０９】
図１１は、本変形例において、操作端末１００の制御回路１０５と、無線タグ通信装置２００の制御回路２０６と、無線タグ作成装置５００の制御回路５１０によって実行される制御内容を表すフローチャートである。なお、前述の図７と同等の手順には同符号を付し説明を省略する。
【０１１０】
ステップＳ５〜ステップＳ５０は、前述の図７と同様である。すなわち、操作端末１００からのタグ作成要求信号（タグＩＤ及び印字データ含む）に基づき、無線タグ作成装置５００で無線タグＴの作成が行われると、その際に無線タグ回路素子Ｔｏに書き込まれたタグＩＤ及び印字データが、無線タグ作成装置５００よりネットワークＮＷを介して一括して操作端末１００に送信され、記憶部１０６に記憶される。さらに、これらのタグＩＤは、操作端末１００から端末間無線通信を介して無線タグ通信装置２００に一括して送信され、記憶部２０７に記憶される。
【０１１１】
一方、操作端末１００は、上記記憶部１０６に記憶されたタグＩＤが複数であるか否かを判定し、複数である場合にはマルチサーチモードに対応した切替指示信号を、単数である場合にはシングルサーチモードに対応した切替指示信号を、端末間無線通信を介して無線タグ通信装置２００に送信する。これにより、無線タグ通信装置２００は自動的にシングルサーチモード又はマルチサーチモードに切り替わり、上記作成された無線タグＴに対し、タグＩＤを順次指定しつつ無線通信により情報読み取りを行う。このとき、情報読み取りができなかった無線タグＴが存在する場合には、ステップＳ５２に移る。なお、ここで情報読み取りができなかった場合とは、前述したようにシングルサーチモード又はマルチサーチモードにおいて、所定の回数リトライを繰り返してもタグＩＤの受信に成功しない場合を含むものである。
【０１１２】
ステップＳ５２において、無線タグ通信装置２００の制御回路２０６は、表示部２０１に制御信号を出力し、上記情報読み取りができなかった無線タグＴに対応する印字データ（対象物情報。上記ステップＳ２５で記憶部２０７に保存されている）を表示部２０１に表示させる。情報読み取りができなかった無線タグＴが複数である場合には、個別（又は一覧でもよい）に表示する。操作者は、この表示部２０１の表示と無線タグＴの印字を比較することにより、情報読み取りができなかった無線タグＴがいずれであるかを視認できる。なお、ここでは印字データそのものを表示するようにしたが、これに限らず、その他の対象物情報（例えば印字データが対象物の名称である場合、その名称の一部や要約、記号等、印字データと実質的に同一である情報）を表示するようにしてもよい。
【０１１３】
次に、ステップＳ４００において、無線タグ通信装置２００の制御回路２０６は、上記情報読み取りができなかった無線タグＴの無線タグ回路素子Ｔｏに対し対応するタグＩＤを書き込む無線タグ書き込み処理を実行する（詳細手順は後述の図１２参照）。なお、この無線タグ書き込み処理は、操作者が、上記表示部２０１の表示を参照して情報読み取りができなかった無線タグＴ（言い換えれば書き込み対象である無線タグＴ）を特定した上で、操作部２０２を介して所定の書き込み開始操作を行うことにより、各無線タグＴに対し個別に実行されるものである。したがって、情報読み取りができなかった無線タグＴが複数ある場合には、それら複数の無線タグＴに対し個別に無線タグ書き込み処理が実行される。なお、上記ステップＳ４００は、特許請求の範囲に記載の通信装置側書き込み手段を構成する。
【０１１４】
そして、ステップＳ５３において、無線タグ通信装置２００の制御回路２０６は、情報書き込みを行った無線タグＴが複数であるか否かを判定する。情報書き込みを行った無線タグＴが単数である場合には、判定が満たされずにステップＳ２００に移り、前述のシングルサーチ処理を実行する（詳細手順は図９参照）。一方、情報書き込みを行った無線タグＴが複数である場合には、判定が満たされてステップＳ３００に移り、前述のマルチサーチ処理を実行する（詳細手順は図１０参照）。なお、上記ステップＳ５３、ステップＳ２００、及びステップＳ３００が、特許請求の範囲に記載の再取得制御手段を構成する。
【０１１５】
その後、前述のステップＳ５０と同様に、無線タグ通信装置２００の制御回路２０６は、情報書き込みを行ったにも拘わらず、上記シングルサーチ処理又はマルチサーチ処理により再度情報読み取りができなかった無線タグＴが存在したか否かを判定する。全ての無線タグＴについて情報読み取りができた場合には、判定が満たされずに本フローを終了する。一方、情報読み取りができなかった無線タグＴが存在した場合には、判定が満たされてステップＳ５５に移る。
【０１１６】
ステップＳ５５において、無線タグ通信装置２００の制御回路２０６は、操作端末１００に対し、上記情報読み取りができなかった無線タグＴの作成（再発行）を要求するタグ作成要求信号（再発行要求信号）を、対応するタグＩＤ及び印字データ（ステップＳ２５において記憶部２０７に記憶されている）と共に、端末間通信制御部２０５及び端末間無線通信を介し送信する。なお、この場合のステップＳ５５が、特許請求の範囲に記載の第２再発行要求出力手段を構成する。
【０１１７】
そして、ステップＳ６０において、操作端末１００の制御回路１０５は、ステップＳ６０において、無線タグ通信装置２００よりタグ作成（再発行）要求信号を受信したか否かを判定し、当該タグ作成要求信号を受信した場合には、先のステップＳ５に戻り、無線タグ作成装置５００に対し、上記情報読み取りができなかった無線タグＴの作成（再発行）を要求するタグ作成要求信号（再発行指示信号）を、タグＩＤ及び印字データと共に、ネットワーク通信制御部１０３及びネットワークＮＷを介し送信する。なお、この場合のステップＳ６０が、特許請求の範囲に記載の第２再発行指示出力手段を構成する。
【０１１８】
これにより、ステップＳ１００において、無線タグ作成装置５００の制御回路５１０は、無線タグ通信装置２００において情報書き込み後、再度の情報読み取りができなかった無線タグＴを再び作成（再発行）する無線タグ作成処理を行う。そしてステップＳ１０において、この作成（再発行）した無線タグＴに対応するタグＩＤ及び印字データを、ネットワーク通信制御部５０９及びネットワークＮＷを介し、操作端末１００に一括して送信する。なお、この場合のステップＳ１０と上記ステップＳ１００とが、第２再発行制御手段を構成する。この後は同様の手順を繰り返す。
【０１１９】
図１２は、上記ステップＳ４００の無線タグ書き込み処理の詳細手順を表すフローチャートである。
【０１２０】
ステップＳ４１０では、無線タグ通信装置２００の制御回路２０６は、高周波回路２０４に制御信号を出力し、情報読み取りができなかった無線タグＴ（上記ステップＳ５２で表示した印字データに対応する無線タグＴ）に対応するタグＩＤを指定して該当する無線タグ回路素子Ｔｏのメモリ部１５５にタグＩＤを書き込む信号（この例ではＷｒｉｔｅコマンド信号）として、所定の変調を行った質問波を通信装置側アンテナ２０３を介して情報書き込み対象の無線タグ回路素子Ｔｏに送信し、情報を書き込む。
【０１２１】
ステップＳ４２０では、制御回路２０６は、高周波回路２０４に制御信号を出力し、タグＩＤを指定して該当する無線タグ回路素子Ｔｏのメモリ部１５５に記録されたデータを読み出す信号（この例ではＲｅａｄコマンド信号）として所定の変調を行った質問波を通信装置側アンテナ２０３を介して情報書き込み対象の無線タグ回路素子Ｔｏに送信し、返信を促す。
【０１２２】
ステップＳ４３０では、制御回路２０６は、上記Ｒｅａｄコマンド信号に対応して書き込み対象の無線タグ回路素子Ｔｏから送信されたリプライ信号を通信装置側アンテナ２０３を介して受信する。
【０１２３】
ステップＳ４４０では、制御回路２０６は、上記受信したリプライ信号に基づき、当該無線タグ回路素子Ｔｏのメモリ部１５５内に記憶されたタグＩＤを確認し、公知の誤り検出符号（ＣＲＣ符号；Ｃｙｃｌｉｃ  Ｒｅｄｕｎｄａｎｃｙ  Ｃｈｅｃｋ等）を用いて、前述の送信したタグＩＤがメモリ部１５５に正常に記憶されたか否かを判定する。情報書き込みが不調に終わった場合には、判定が満たされずに先のステップＳ４１０に戻り、同様の手順を繰り返す（リトライ）。一方、情報書き込みが正常に終了した場合には、判定が満たされてステップＳ４５０に移る。
【０１２４】
ステップＳ４５０では、制御回路２０６は、表示部２０１に制御信号を出力し、無線タグＴの無線タグ回路素子Ｔｏに対する情報書き込みが正常に終了したことを知らせる表示（例えば「書き込みは正常に終了しました」等）を行う。以上により、本ルーチンを終了する。
【０１２５】
以上の図１１及び図１２で説明した制御により、本変形例の無線タグ管理システムＴＳは例えば次のように動作する。ここでは、無線タグ作成装置５００で例えば５つの無線タグＴ１，Ｔ２，Ｔ３，Ｔ４，Ｔ５の作成が行われ、そのうち無線タグＴ１，Ｔ２，Ｔ５についてはタグＩＤを取得できたが、無線タグＴ２，Ｔ３についてはタグＩＤを取得できなかった場合について説明する。この場合、無線タグ通信装置２００は、無線タグＴ２，Ｔ３の印字データを表示部２０１に個別に（又は一覧で）表示する（ステップＳ５２）。これにより、操作者が、表示部２０１の表示を参照して情報読み取りができなかった無線タグＴ２，Ｔ３（言い換えれば書き込み対象である無線タグＴ）を特定し、操作部２０２を介して所定の書き込み開始操作を行うと、無線タグ通信装置２００は、情報読み取りができなかった無線タグＴ２，Ｔ３の無線タグ回路素子Ｔｏに対し対応するタグＩＤを書き込む無線タグ書き込み処理をそれぞれ実行する（ステップＳ４００）。
【０１２６】
情報書き込み後、情報書き込みを行った無線タグＴは無線タグＴ２，Ｔ３の２つであるので、無線タグ通信装置２００は自動的にマルチサーチモードに切り替わり、情報書き込みを行った無線タグＴ２，Ｔ３に対しマルチサーチ処理を行って情報読み取りを実行する（ステップＳ５３，Ｓ３００）。このマルチサーチ処理において、例えば無線タグＴ２についてはタグＩＤを取得できたが、無線タグＴ３については再度タグＩＤを取得できなかった場合には、無線タグ通信装置２００は無線タグＴ３を通信信頼性の疑われる無線タグとみなし、操作端末１００に対し、対応する新規な無線タグＴ３の作成（再発行）を要求するタグ作成要求信号（無線タグＴ３のタグＩＤ及び印字データ含む）を、端末間無線通信を介して送信する（ステップＳ５４，Ｓ５５）。この後は前述と同様であり、操作端末１００は、この無線タグ通信装置２００からのタグ作成要求信号に応じ、無線タグＴ３の作成（再発行）を要求するタグ作成要求信号（無線タグＴ３のタグＩＤ及び印字データ含む）を、ネットワークＮＷを介して無線タグ作成装置５００に送信する（ステップＳ６０，Ｓ５）。これにより、無線タグ作成装置５００は、上記操作端末１００からのタグ作成要求信号に応じ、１つの無線タグＴ３の作成（再発行）を行う（ステップＳ１００）。
【０１２７】
なお、上記の動作は一例であり、無線タグ管理システムＴＳの動作をこれに限定するものではない。例えば上記では情報読み取りができなかった無線タグＴが２つである場合を説明したが、単数であった場合には、その無線タグＴへの情報書き込み後、無線タグ通信装置２００は自動的にシングルサーチモードに切り替わり、当該無線タグＴに対し情報読み取りを実行する。
【０１２８】
以上説明した変形例によれば、複数の無線タグＴ作成後に通信信頼性の確認作業を実行し、情報読み取りができなかった（通信信頼性が疑われる）無線タグＴがあった場合には、その無線タグＴの無線タグ回路素子Ｔｏに対し、再度同じタグＩＤの書き込みを行うことができる。
【０１２９】
また、本変形例によれば、以下の効果を奏する。すなわち、無線タグ通信装置２００によるタグＩＤの書き込みを行う際、対象となる無線タグＴからは情報読み取りを行えていないため、そのままでは当該無線タグ回路素子Ｔｏを特定することが難しい。そこで本変形例においては、無線タグ作成装置５００で無線タグＴを作成する際に印刷した印字データを、書き込んだタグＩＤとともに出力し、その印字データが操作端末１００を介して無線タグ通信装置２００で取得される。そして、無線タグ通信装置２００よるタグＩＤの書き込みを行う際、書き込み対象の無線タグＴに印刷された印字データが表示部２０１で表示される。これにより、操作者は書き込み対象の無線タグＴを表示部２０１の表示によって確認し、容易に特定することができる。
【０１３０】
また、本変形例においては、無線タグ通信装置２００による情報書き込み後、無線タグ通信装置２００は自動的にシングルサーチモード又はマルチサーチモードに切り替わり、情報書き込みを行った無線タグＴに対して再度情報読み取りを実行する。これにより、複数の無線タグＴ作成後に実行した確認作業で通信信頼性が疑われ、無線タグ通信装置２００を用いて再度タグＩＤの書き込みを行った無線タグＴに対しても、さらに通信信頼性の確認作業を実行することができる。
【０１３１】
また、本変形例によれば、複数の無線タグＴ作成後に実行した確認作業で通信信頼性が疑われ、無線タグ通信装置２００を用いて再度タグＩＤの書き込みを行った無線タグＴについて、依然として通信信頼性が疑われる場合には、当該無線タグＴの使用を断念し、その無線タグＴに代えて新たな無線タグＴを自動的に無線タグ作成装置５００で作成することができる。
【０１３２】
（２）その他
また、以上においては、無線タグ作成装置５００において、印字及び無線タグ回路素子Ｔｏへのアクセス（上記実施形態では書き込み）の終了したタグテープ５０３をカッタ５０７で切断して無線タグＴを作成する場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ５０７で切断しなくても、テープが排出口から排出されてきた後にラベル台紙（アクセス済みの無線タグ回路素子Ｔｏが備えられかつ対応する印字がなされたもの）のみをテープから剥がして無線タグＴを作成しても良く、本発明はこのようなものに対しても適用できる。
【０１３３】
また、以上においては、無線タグ作成装置５００での無線タグＴの作成において、タグテープ５０３（に備えられた被印字テープ層）に直接印字を行う方式（いわゆる貼りあわせを行わないノンラミネートタイプ）であったが、これに限られず、無線タグ回路素子Ｔｏを備えたタグテープ５０３とは別のカバーフィルム（被印字媒体）に印字を行ってこれらを貼り合わせる方式（いわゆる貼り合わせを行うラミネートタイプ）に本発明を適用してもよい。
【０１３４】
なお、以上において、図２、図３、図４、図５等の各図中に示す矢印は信号の流れの一例を示すものであり、信号の流れ方向を限定するものではない。
【０１３５】
また、図７、図８、図９等に示すフローチャートは本発明を上記フローに示す手順に限定するものではなく、発明の趣旨及び技術的思想を逸脱しない範囲内で手順の追加・削除又は順番の変更等をしてもよい。
【０１３６】
また、以上既に述べた以外にも、上記実施形態や各変形例による手法を適宜組み合わせて利用しても良い。
【０１３７】
その他、一々例示はしないが、本発明は、その趣旨を逸脱しない範囲内において、種々の変更が加えられて実施されるものである。
【図面の簡単な説明】
【０１３８】
【図１】本実施形態の無線タグ管理システムの全体構成を表すシステム構成図である。
【図２】操作端末及び無線タグ通信装置の機能構成を表す機能ブロック図である。
【図３】無線タグ作成装置の機能構成を表す機能ブロック図である。
【図４】無線タグ通信装置の高周波回路の詳細構成を表す機能ブロック図である。
【図５】無線タグ回路素子の機能的構成の一例を表す機能ブロック図である。
【図６】無線タグ通信装置と１つの無線タグ回路素子との間で送受される信号のタイムチャートの一例を表す図である。
【図７】操作端末の制御回路と、無線タグ通信装置の制御回路と、無線タグ作成装置の制御回路によって実行される制御内容を表すフローチャートである。
【図８】ステップＳ１００の無線タグ作成処理の詳細手順を表すフローチャートである。
【図９】ステップＳ２００のシングルサーチ処理の詳細手順を表すフローチャートである。
【図１０】ステップＳ３００のマルチサーチ処理の詳細手順を表すフローチャートである。
【図１１】読み取り不可の無線タグに対し無線タグ通信装置で書き込みを行う変形例において、操作端末の制御回路と、無線タグ通信装置の制御回路と、無線タグ作成装置の制御回路によって実行される制御内容を表すフローチャートである。
【図１２】ステップＳ４００の無線タグ書き込み処理の詳細手順を表すフローチャートである。
【符号の説明】
【０１３９】
１００            操作端末
１０６            記憶部（端末側記憶手段）
１５０            ＩＣ回路部
１５１            タグアンテナ
２００            無線タグ通信装置
２０１            表示部（表示手段）
２０３            通信装置側アンテナ
２０７            記憶部（通信装置側記憶手段）
５００            無線タグ作成装置
５０１            作成装置側アンテナ
５０３            タグテープ（タグ媒体）
５０５            印字ヘッド（印字手段）
５０８            搬送ローラ（搬送手段）
Ｔ                無線タグ
Ｔｏ              無線タグ回路素子
ＴＳ              無線タグ管理システム
【図１】
2010086147.tif 000003
【図２】
2010086147.tif 000004
【図３】
2010086147.tif 000005
【図４】
2010086147.tif 000006
【図５】
2010086147.tif 000007
【図６】
2010086147.tif 000008
【図７】
2010086147.tif 000009
【図８】
2010086147.tif 000010
【図９】
2010086147.tif 000011
【図１０】
2010086147.tif 000012
【図１１】
2010086147.tif 000013
【図１２】
2010086147.tif 000014